(57)【要約】【課題】  再生装置や記録再生装置において、仕様の相違に応じて、搭載される映像・音声入出力端子に異同がある場合であっても基板の共通化が図られ、且つ、映像・音声入出力端子のグランド強化が図られた再生装置若しくは記録装置若しくは記録再生装置の提供。【解決手段】  電源基板１２に、製品の仕様に応じて変更される映像・音声入出力端子１９を設け、メイン基板１１には各仕様に共通する映像・音声入出力端子１５ａを設けることにより、メイン基板１１を各仕様の製品間において共通化し、映像・音声入出力端子１９のグランドに電源基板１２上のグランド線を用いる。【選択図】  図１
2006147108.tif 000002
【特許請求の範囲】
【請求項１】
映像信号や音声信号の処理を行う映像・音声信号処理部や装置全体の制御を行う制御部などを備えるメイン基板と、当該メイン基板とは別個に形成される電源基板と、記録媒体からの信号の読込み若しくは書込み若しくは読書きを行う記録・再生ユニットと、を備えた再生装置若しくは記録装置若しくは記録再生装置であって、前記電源基板に映像入出力端子若しくは映像・音声入出力端子を備えたことを特徴とする再生装置若しくは記録装置若しくは記録再生装置。
【請求項２】
前記電源基板に設けられる前記映像入出力端子若しくは前記映像・音声入出力端子が、製品の仕様に応じて変更される端子であり、前記メイン基板には各仕様に共通する映像入出力端子若しくは映像・音声入出力端子を設けることにより、前記メイン基板を各仕様の製品間において共通化し、且つ、各仕様に応じた新たな外部入出力基板を設ける必要がないようにしたことを特徴とする請求項１記載の再生装置若しくは記録装置若しくは記録再生装置。
【請求項３】
前記電源基板に、前記映像入出力端子及び前記映像・音声入出力端子のそれぞれを搭載することができるスペースを設け、且つ、前記映像入出力端子若しくは前記映像・音声入出力端子から入出力する信号を前記メイン基板との間で送受信するために、前記映像入出力端子若しくは前記映像・音声入出力端子と、前記電源基板と前記メイン基板とを相互に接続するケーブルを接続するためのコネクタと、の間を接続する映像入出力回路若しくは映像・音声入出力回路を形成することができる配線パターンを形成し、さらに、前記映像入出力端子若しくは前記映像・音声入出力端子の信号ラインの静電対策用の静電保護用ダイオード回路を形成することができる配線パターンを形成したことを特徴とする請求項１又は請求項２に記載の再生装置若しくは記録装置若しくは記録再生装置。
【請求項４】
前記電源基板及び前記メイン基板が前記再生装置等に搭載された状態で、前記電源基板のうち、前記再生装置等の背面側になる位置であり且つ前記メイン基板が搭載される側と反対側の位置となる部分に、電源コード接続部を設け、この近傍であって、当該電源基板のうち、前記メイン基板が搭載される側と反対側となる部分に、主に一次側電源回路と電源トランスとを設け、当該電源基板のうち前記再生装置等の前面側になる部分に、主に二次側電源回路を設け、当該電源基板のうち、前記再生装置等の背面側になる位置であり且つ前記メイン基板が搭載される側となる部分に、背面側から順次、前記映像入出力端子及び前記映像・音声入出力端子のそれぞれを搭載することができるスペースと、前記映像・音声入出力回路と、前記静電保護用ダイオード回路とを設け、且つ、前記映像・音声入出力端子を搭載するためのスペースが前記映像入出力端子を搭載するためのスペースより前記メイン基板側となる部分に形成されたことを特徴とする請求項３に記載の再生装置若しくは記録装置若しくは記録再生装置。
【請求項５】
前記電源基板に設けられる前記映像・音声入出力端子が、ＰＡＬ方式の映像・音声信号を入出力するための２１ピンコネクタであること、若しくは、前記映像入出力端子がＤ端子であることを特徴とする請求項１乃至請求項４の何れか１つに記載の再生装置若しくは記録装置若しくは記録再生装置。
【発明の詳細な説明】
【技術分野】
【０００１】
本発明は、記録再生装置などに関するものであり、特に、製品の仕様の違いによる外部入出力端子の異同の影響（コスト等）を低減させた記録再生装置等に関する。
【背景技術】
【０００２】
テレビ放送のカラーテレビ方式は、国によって異なり（ＮＴＳＣ方式やＰＡＬ方式など）、これに応じて、映像・音声入出力端子も異なる場合があるため、再生装置や記録再生装置などの製品は、仕向け地に応じて映像・音声入出力端子を変更する必要がある。また、製品のグレードによって搭載させる映像・音声入出力端子を変更する場合もある。このような、仕様に異同がある製品に対しての部品の共通化や設定の簡略化に関する従来技術が特許文献１や特許文献２などによって開示されている。
【０００３】
【特許文献１】特開平６−２５２５２２号公報
【特許文献２】特開平９−８２４３４号公報
【発明の開示】
【発明が解決しようとする課題】
【０００４】
製品の薄型化・小型化が図られた再生装置や記録再生装置では、大別して、映像・音声信号処理部や制御部などを備えるメイン基板と、当該メイン基板とは別個に形成される電源基板と、記録・再生ユニットと、の３つの部材が略同一平面上に隣接して設けられるのが一般的である。図４は従来の再生装置（ＤＶＤプレーヤ）の一例の、主な構成部材の位置関係を示したブロック図である。図に示されるように、デザイン上の要請などの理由から記録・再生ユニットであるＤＶＤ再生ユニット４３を装置の真中付近に配置すると、薄型化の要請により、ＤＶＤ再生ユニット４３と基板とを上下方向に重ねることができないため、メイン基板４１と電源基板４２とを別基板として構成し、それぞれＤＶＤ再生ユニット４３の左右に配置するような構成となるのである。
【０００５】
このような構成の再生装置や記録再生装置における映像・音声入出力端子は、メイン基板上であって、装置の背面側となる部分に設けられる（図４中の端子４４）のが一般的であるが、装置の小型化が図られているため、メイン基板の背面側の一辺の長さ（図４中のａ）には限りがあり、従って、各仕向け地に応じた映像・音声入出力端子や製品グレードに応じた映像・音声入出力端子の全てを配置するだけのスペースを、メイン基板の背面側の一辺上に確保することは困難である。よって、従来の再生装置や記録再生装置では、製品グレードや特定の仕向け地（仕様）に応じた映像・音声入出力端子のみを搭載させたメイン基板をそれぞれ用意する（各仕様に応じたメイン基板を用意する）か、各仕様間に共通する映像入出力端子をメイン基板に搭載し（メイン基板を共通化し）、各仕様に対応する映像・音声入出力端子を搭載した外部入出力基板（図４中の外部入出力基板４５）を別に設け、これを装置に搭載するようにしていた。しかし、前者の場合はメイン基板を各仕様ごとに用意しなければならず、後者の場合は別途外部入出力基板を製造する必要があるため、それぞれ製造・管理コストがかかるものであった。
【０００６】
また、外部入出力基板を別に設けるようにした場合、グランド線が、メイン基板と接続されるケーブル（図４中のケーブル４５ａ）に設けられた１本しかないため静電対策が不十分となりがちであり、場合によっては、外部入出力基板に備えられた映像・音声入出力端子から進入した静電気が、メイン基板に備えられるマイコンなどの動作に影響を与えるおそれがあった。これを防止するために外部入出力基板上で静電対策のための回路を形成することも可能であるが、この場合、外部入出力基板の製造コストが高くなってしまうものであった。
【０００７】
本発明は、上述した点に鑑み、再生装置や記録再生装置において、仕様の相違に応じて、搭載される映像・音声入出力端子に異同がある場合であっても基板の共通化が図られ、且つ、映像・音声入出力端子のグランド強化が図られた再生装置若しくは記録装置若しくは記録再生装置を提供することを目的とする。
【課題を解決するための手段】
【０００８】
請求項１の再生装置若しくは記録装置若しくは記録再生装置は、映像信号や音声信号の処理を行う映像・音声信号処理部や装置全体の制御を行う制御部などを備えるメイン基板と、当該メイン基板とは別個に形成される電源基板と、記録媒体からの信号の読込み若しくは書込み若しくは読書きを行う記録・再生ユニットと、を備えた再生装置若しくは記録装置若しくは記録再生装置であって、前記電源基板に映像入出力端子若しくは映像・音声入出力端子を備えたことを特徴とする。
【０００９】
上記構成によれば、電源基板上に搭載された映像・音声入出力端子は、電源基板上のグランド線を利用することができる。なお、映像入出力端子若しくは映像・音声入出力端子とは、信号の入力及び出力の双方を行うものに限るというものではなく、信号の出力若しくは入力のみを行う端子であってもよい。
【００１０】
請求項２の再生装置若しくは記録装置若しくは記録再生装置は、請求項１記載の再生装置若しくは記録装置若しくは記録再生装置であって、前記電源基板に設けられる前記映像入出力端子若しくは前記映像・音声入出力端子が、製品の仕様に応じて変更される端子であり、前記メイン基板には各仕様に共通する映像入出力端子若しくは映像・音声入出力端子を設けることにより、前記メイン基板を各仕様の製品間において共通化し、且つ、各仕様に応じた新たな外部入出力基板を設ける必要がないようにしたことを特徴とする。
【００１１】
上記構成によれば、異なる仕様の製品間においてメイン基板が共通化され、且つ、各仕様に応じて変更される映像・音声入出力端子が電源基板上に設けられるため、各仕様に応じた新たな外部入出力基板（映像・音声入出力端子を搭載した基板）を別途用意する必要がない。なお、製品の仕様とは、例えば、各仕向け地若しくは各製品グレードに応じた製品の構成をいう。
【００１２】
請求項３の再生装置若しくは記録装置若しくは記録再生装置は、請求項１又は請求項２に記載の再生装置若しくは記録装置若しくは記録再生装置であって、前記電源基板に、前記映像入出力端子及び前記映像・音声入出力端子のそれぞれを搭載することができるスペースを設け、且つ、前記映像入出力端子若しくは前記映像・音声入出力端子から入出力する信号を前記メイン基板との間で送受信するために、前記映像入出力端子若しくは前記映像・音声入出力端子と、前記電源基板と前記メイン基板とを相互に接続するケーブルを接続するためのコネクタと、の間を接続する映像入出力回路若しくは映像・音声入出力回路を形成することができる配線パターンを形成し、さらに、前記映像入出力端子若しくは前記映像・音声入出力端子の信号ラインの静電対策用の静電保護用ダイオード回路を形成することができる配線パターンを形成したことを特徴とする。
【００１３】
上記構成によれば、電源基板に、映像入出力端子及び映像・音声入出力端子のそれぞれを搭載することができるスペースが設けられ、且つ、映像・音声入出力回路を形成することができる配線パターンと静電保護用ダイオード回路を形成することができる配線パターンとが形成されているため、各仕様（例えば、ＰＡＬ方式用に２１ピンコネクタを搭載する製品など）に応じて電源基板に入出力端子や電気・電子部品を搭載することで、映像・音声入出力回路や静電保護用ダイオード回路が形成され、それぞれの仕様に応じた製品（２１ピンコネクタを備えた製品など）とすることができる。
【００１４】
請求項４の再生装置若しくは記録装置若しくは記録再生装置は、請求項３に記載の再生装置若しくは記録装置若しくは記録再生装置であって、前記電源基板及び前記メイン基板が前記再生装置等に搭載された状態で、前記電源基板のうち、前記再生装置等の背面側になる位置であり且つ前記メイン基板が搭載される側と反対側の位置となる部分に、電源コード接続部を設け、この近傍であって、当該電源基板のうち、前記メイン基板が搭載される側と反対側となる部分に、主に一次側電源回路と電源トランスとを設け、当該電源基板のうち前記再生装置等の前面側になる部分に、主に二次側電源回路を設け、当該電源基板のうち、前記再生装置等の背面側になる位置であり且つ前記メイン基板が搭載される側となる部分に、背面側から順次、前記映像入出力端子及び前記映像・音声入出力端子のそれぞれを搭載することができるスペースと、前記映像・音声入出力回路と、前記静電保護用ダイオード回路とを設け、且つ、前記映像・音声入出力端子を搭載するためのスペースが前記映像入出力端子を搭載するためのスペースより前記メイン基板側となる部分に形成されたことを特徴とする。
【００１５】
上記構成によれば、電源基板内の各回路部が無駄なく配置されると共に、音声信号の入出力ラインを備えない映像入出力端子より、音声信号の入出力ラインを備える映像・音声入出力端子の方が一次側電源回路から離れて配置される。
【００１６】
請求項５の再生装置若しくは記録装置若しくは記録再生装置は、請求項１乃至請求項４の何れか１つに記載の再生装置若しくは記録装置若しくは記録再生装置であって、前記電源基板に設けられる前記映像・音声入出力端子が、ＰＡＬ方式の映像・音声信号を入出力するための２１ピンコネクタであること、若しくは、前記映像入出力端子がＤ端子であることを特徴とする。
【００１７】
上記構成によれば、２１ピンコネクタ若しくはＤ端子が電源基板に設けられるため、仕向け地がＰＡＬ方式を採用している場合や、Ｄ端子を搭載するグレードの製品の場合であっても、別途２１ピンコネクタ若しくはＤ端子を搭載した外部入出力基板を用意する必要がなく、メイン基板に変更を加える（２１ピンコネクタ若しくはＤ端子を搭載したメイン基板を用意する）必要も無い。
【発明の効果】
【００１８】
本発明の請求項１の、映像信号や音声信号の処理を行う映像・音声信号処理部や装置全体の制御を行う制御部などを備えるメイン基板と、当該メイン基板とは別個に形成される電源基板と、記録媒体からの信号の読込み若しくは書込み若しくは読書きを行う記録・再生ユニットと、を備えた再生装置若しくは記録装置若しくは記録再生装置であって、前記電源基板に映像入出力端子若しくは映像・音声入出力端子を備えたことを特徴とする再生装置若しくは記録装置若しくは記録再生装置によれば、電源基板上に搭載された映像・音声入出力端子は、電源基板上のグランド線を利用することができるため、当該映像・音声入出力端子の静電対策を十分なものとすることができ、クロストークのノイズにも強いものとすることができる。また、映像・音声入出力端子から進入した静電気が、メイン基板上のマイコンなどの動作への影響を与える（映像・音声入出力端子のグランドをメイン基板上のグランド線に接続した場合に生じうる）といったことが防止される。
【００１９】
本発明の請求項２の、前記電源基板に設けられる前記映像入出力端子若しくは前記映像・音声入出力端子が、製品の仕様に応じて変更される端子であり、前記メイン基板には各仕様に共通する映像入出力端子若しくは映像・音声入出力端子を設けることにより、前記メイン基板を各仕様の製品間において共通化し、且つ、各仕様に応じた新たな外部入出力基板を設ける必要がないようにしたことを特徴とする請求項１記載の再生装置若しくは記録装置若しくは記録再生装置によれば、異なる仕様の製品間においてメイン基板が共通化され、且つ、各仕様に応じた新たな外部入出力基板（映像・音声入出力端子を搭載した基板）を別途用意する必要がないため、装置に設けられる基板を、製品の仕様に関わらずメイン基板と電源基板との２枚のみにすることが可能であり、装置の小型化・薄型化を図ることができると共に、基板の製造・管理コストの低減を図ることができる。
【００２０】
本発明の請求項３の、前記電源基板に、前記映像入出力端子及び前記映像・音声入出力端子のそれぞれを搭載することができるスペースを設け、且つ、前記映像入出力端子若しくは前記映像・音声入出力端子から入出力する信号を前記メイン基板との間で送受信するために、前記映像入出力端子若しくは前記映像・音声入出力端子と、前記電源基板と前記メイン基板とを相互に接続するケーブルを接続するためのコネクタと、の間を接続する映像入出力回路若しくは映像・音声入出力回路を形成することができる配線パターンを形成し、さらに、前記映像入出力端子若しくは前記映像・音声入出力端子の信号ラインの静電対策用の静電保護用ダイオード回路を形成することができる配線パターンを形成したことを特徴とする請求項１又は請求項２に記載の再生装置若しくは記録装置若しくは記録再生装置によれば、電源基板に、映像入出力端子及び映像・音声入出力端子のそれぞれを搭載することができるスペースが設けられ、且つ、映像・音声入出力回路を形成することができる配線パターンと静電保護用ダイオード回路を形成することができる配線パターンとが形成されている（すなわち、電源基板の配線パターンが、製品の各仕様に応じた回路を搭載できるように共通化されている）ため、各仕様に応じて電源基板に入出力端子や電気・電子部品を搭載させることで、電源基板に映像・音声入出力回路や静電保護用ダイオード回路が形成され、それぞれの仕様に応じた製品（電源基板に各仕様に応じた入出力端子が搭載された製品）とすることができる。従って、基板の製造・管理コストの低減を図ることができる。
【００２１】
本発明の請求項４の、前記電源基板及び前記メイン基板が前記再生装置等に搭載された状態で、前記電源基板のうち、前記再生装置等の背面側になる位置であり且つ前記メイン基板が搭載される側と反対側の位置となる部分に、電源コード接続部を設け、この近傍であって、当該電源基板のうち、前記メイン基板が搭載される側と反対側となる部分に、主に一次側電源回路と電源トランスとを設け、当該電源基板のうち前記再生装置等の前面側になる部分に、主に二次側電源回路を設け、当該電源基板のうち、前記再生装置等の背面側になる位置であり且つ前記メイン基板が搭載される側となる部分に、背面側から順次、前記映像入出力端子及び前記映像・音声入出力端子のそれぞれを搭載することができるスペースと、前記映像・音声入出力回路と、前記静電保護用ダイオード回路とを設け、且つ、前記映像・音声入出力端子を搭載するためのスペースが前記映像入出力端子を搭載するためのスペースより前記メイン基板側となる部分に形成されたことを特徴とする請求項３に記載の再生装置若しくは記録装置若しくは記録再生装置によれば、電源基板内の各回路部が無駄なく配置されると共に、音声信号の入出力ラインを備えない映像入出力端子より、音声信号の入出力ラインを備える映像・音声入出力端子の方が一次側電源回路から離れて配置される。従って、よりノイズの影響を受け易い音声信号の入出力ラインを備える映像・音声入出力端子が、ノイズの発生源である一次側電源回路から離されて配置されるため、ノイズの影響を低減させることができる。
【発明を実施するための最良の形態】
【００２２】
以下、本発明の具体的実施例について、図面を参照しながら説明する。なお、以下の実施態様は、本発明を具体化する際の一形態であって、本発明をその範囲内に限定するためのものではない。
【００２３】
図１は、本発明に係るＤＶＤプレーヤの主な構成部材の位置関係を示したブロック図であり、図２は電源基板の各回路部の位置関係の概略を示したブロック図である。
【００２４】
図１に示されるように、再生装置であるＤＶＤプレーヤ１は、映像信号や音声信号の処理を行う映像・音声信号処理部や装置全体の制御を行う制御部などを備えるメイン基板１１と、当該メイン基板とは別個に形成される電源基板１２と、記録媒体（ＤＶＤ）からの信号の読込みを行うＤＶＤ再生ユニット１３などを筐体１４内に備える。
【００２５】
メイン基板１１には、映像入出力端子や音声入出力端子等（端子１５ａ）が搭載される外部入出力部１５が、ＤＶＤプレーヤ１の背面側となる部分に形成される。当該メイン基板１１に設けられる映像入出力端子や音声入出力端子等は、製品の仕向け地や製品グレードなどの違いによる製品の仕様の異同に関わらず、共通して設けられる端子であり、従って、メイン基板１１は各仕様の製品間において共通化されている。
【００２６】
図２に示されるように、電源基板１２には、ＤＶＤプレーヤ１の背面側になる位置であり且つメイン基板１１が搭載される側と反対側の位置となる部分に、ＡＣコード１６が接続される電源コード接続部１２１が設けられ、この近傍であって、当該電源基板１２のうち、メイン基板１１が搭載される側と反対側となる部分に、主に一次側電源回路１２２と電源トランス１２３とが設けられ、当該電源基板１２のうちＤＶＤプレーヤ１の前面側になる部分に、主に二次側電源回路１２４が設けられ、当該二次側電源回路１２４部分に、装置（ＤＶＤプレーヤ１）内の他の構成部材（メイン基板１１やＤＶＤ再生ユニット１３など）に電源を供給するための電源ケーブル１７を接続するためのコネクタ１２４ａが設けられる。
【００２７】
さらに、電源基板１２を構成するプリント配線板（配線パターンが形成されているが、電子部品が搭載されていない状態であるもの）には、ＤＶＤプレーヤ１の背面側になる位置であり且つメイン基板１１が搭載される側となる部分に、背面側から順次、映像入出力端子であるＤ端子（図示せず）及び映像・音声入出力端子である２１ピンコネクタ１９のそれぞれを搭載することができるスペース１２５ａとスペース１２５ｂとが、Ｄ端子を設けるためのスペース１２５ａが一次側電源回路１２２側となるように設けられ、且つ、Ｄ端子若しくは２１ピンコネクタ１９から入出力される信号をメイン基板１１との間で送受信するために、Ｄ端子若しくは２１ピンコネクタ１９と、電源基板１２とメイン基板１１とを相互に接続する信号ケーブル１８を接続するためのコネクタ１２９と、の間を接続する映像・音声入出力回路を形成することができる映像・音声入出力回路配線パターン部１２６が形成され、且つ、Ｄ端子若しくは２１ピンコネクタ１９の信号ラインの静電対策用の静電保護用ダイオード回路を形成することができる静電保護用ダイオード回路配線パターン部１２７が形成される。なお、図３には映像・音声入出力回路及び静電保護用ダイオード回路の一例の概略（図では簡単化のため、信号ラインを２本のみとしている）を示した。信号ライン３２に直列に接続される抵抗３３とコンデンサ３４とによって映像・音声入出力回路（ＤＣカット用）３５が形成され、グランドと定電圧ライン（５Ｖ）との間に直列に接続される２つのダイオード３６・３７の、ダイオード３７のカソードとダイオード３６のアノードとの間に信号ライン３２が接続されることにより、静電保護用ダイオード回路３８が形成される。
【００２８】
このような構成の電源基板１２によれば、例えば、ＰＡＬ方式である仕向け地への製品（２１ピンコネクタ１９を必要とする製品）の場合には、電源基板１２のスペース１２５ｂに２１ピンコネクタ１９を搭載し、２１ピンコネクタ１９とコネクタ１２９との間を接続する映像・音声入出力回路配線パターン部１２６上及び静電保護用ダイオード回路配線パターン部１２７上に電気・電子部品を実装することにより、映像・音声入出力回路及び静電保護用ダイオード回路が形成され、２１ピンコネクタ１９とコネクタ１２９とが電気的に接続される（信号ケーブル１８を接続することで、メイン基板１１と２１ピンコネクタ１９とが接続される）ため、メイン基板１１に対する外部入出力部１５の変更（２１ピンコネクタを設けるために行う映像・音声入出力端子１５ａの変更）や、新たに外部入出力基板（２１ピンコネクタ１９を備えた別基板：図４における外部入出力基板４５）を形成する必要がない。同様に、製品グレードの違い等により、Ｄ端子の搭載の有無が変わっても、メイン基板１１に対する外部入出力部１５の変更や、新たに外部入出力基板を形成する必要がない。
【００２９】
以上のごとく、本実施例のＤＶＤプレーヤ１によれば、Ｄ端子若しくは２１ピンコネクタ１９は、電源基板１２上に搭載され、電源基板１２上のグランド線を利用することができるため、静電対策を十分なものとすることができ、クロストークのノイズにも強いものとすることができる。またこれにより、Ｄ端子若しくは２１ピンコネクタ１９から進入した静電気が、メイン基板１１上のマイコンなどの動作への影響を与えるといったことが防止される。さらに、異なる仕様の製品間においてメイン基板１１が共通化され、且つ、各仕様に応じた新たな外部入出力基板を別途用意する必要がないため、装置に設けられる基板を、製品の仕様に関わらずメイン基板１１と電源基板１２との２枚のみにすることが可能であり、装置の小型化・薄型化を図ることができると共に、基板の製造・管理コストの低減を図ることができる。また、音声信号の入出力ラインを備えないＤ端子より、音声信号の入出力ラインを備える２１ピンコネクタ１９の方が一次側電源回路１２２から離れて配置されるため、ノイズの発生源である一次側電源回路１２２からの音声信号ラインへのノイズの影響を低減させることができる。
【００３０】
電源基板１２は、製品の仕様の相違により、実装される部品が異なる（Ｄ端子などの搭載される端子の相違と、これに伴う映像・音声入出力回路や静電保護用ダイオード回路の実装の有無による相違）場合があるため、電源基板１２として完全に共通化されているものではないが、プリント配線板（配線パターンが形成されているが、電子部品が搭載されていない状態であるもの）としては共通化がなされているため、基板の製造・管理コストの低減が図られると共に、電源基板１２を筐体１４に取り付けるための機構や部材も共通化することができ、製造工程の簡略化（統一化）によるコストの低減も図られる。
【００３１】
なお、実施例においては、再生装置の一例としてＤＶＤプレーヤを用いて説明したが、本発明をこれに限るものではなく、ＤＶＤレコーダなどの記録再生装置にも適用できるのは勿論のこと、ＨＤＤなどの他の記録媒体を使用した記録再生装置などにも有効に適用することができる。また、映像入出力端子の具体例としてＤ端子を、映像・音声入出力端子の具体例として２１ピンコネクタを用いて説明したが、本発明をこれに限定するものではなく、用途に応じて適宜各種の映像入出力端子若しくは映像・音声入出力端子を電源基板に設けることができる（具体例をあげれば、Ｄ端子の替わりにＩＥＥＥ１３９４端子を設けるようにする等してもよい）。
【図面の簡単な説明】
【００３２】
【図１】ＤＶＤプレーヤの主な構成部材の位置関係を示したブロック図
【図２】電源基板の各回路部の位置関係の概略を示したブロック図
【図３】映像・音声入出力回路及び静電保護用ダイオード回路の一例を示した回路図
【図４】従来のＤＶＤプレーヤの一例の、主な構成部材の位置関係を示したブロック図
【符号の説明】
【００３３】
１      ＤＶＤプレーヤ（再生装置）
１１    メイン基板
１２    電源基板
１３    ＤＶＤ再生ユニット（記録・再生ユニット）
１５    外部入出力部
１５ａ  映像入出力端子、映像・音声入出力端子
１８    信号ケーブル
１９    ２１ピンコネクタ（映像・音声入出力端子）
１２１  電源コード接続部
１２２  一次側電源回路
１２３  電源トランス
１２４  二次側電源回路
１２５ａ  Ｄ端子（映像入出力端子）搭載スペース
１２５ｂ  ２１ピンコネクタ（映像・音声入出力端子）搭載スペース
１２６  映像・音声入出力回路配線パターン部
１２７  静電保護用ダイオード回路配線パターン部
１２９  コネクタ
【図１】
2006147108.tif 000003
【図２】
2006147108.tif 000004
【図３】
2006147108.tif 000005
【図４】
2006147108.tif 000006